(57)【要約】【課題】使用者がマットに横になるか座った姿勢で足場を押し出しながら下体運動を行うことができ、上体の力で上部マットを連続的に横たえる動作によって腹部の運動を兼ねることができることはもちろん、使用者が座った状態で脚かけに足を載せ、背もたれを反らしながら腹部運動を行うことができ、腹部運動の際、背もたれに備えられた指圧突部が使用者の背中の経穴部位を摩擦させながら指圧して血液循環改善等の付加の効果を期待することができる腹部および下体運動装置を提供する。【解決手段】一側に軸結合部が突設された下部マットと、逆“Ｕ”字形に形成されたフレームの端部が前記軸結合部に軸を介して回転可能に結合され、その上面に上板が積層結合された上部マットと、前記下部マットの内部に内蔵され、一側端部に足場が備えられたピストンが伸縮可能に形成され、前記ピストンが引っ込める方向にガス圧が加えられる複数のショックアブソーバと、前記足場の直線移動ができるように、下部マットの表面に長手方向に切開される遊動溝と、強い回転方向弾性を発生するようにコイル型に形成され、中心部が前記軸結合部に固定され、外端の係止部が前記フレームから突出した係止棒にかかって、上部マットを上昇回転させる方向に弾性を加える渦巻バネとを含む。【選択図】図１
2006528902.tif 000002
【特許請求の範囲】
【請求項１】
一側に軸結合部１１が突設された下部マット１と；
逆“Ｕ”字形に形成されたフレーム２１の端部が前記軸結合部１１に軸１２を介して回転可能に結合され、その上面に上板２２が積層結合された上部マット２と；
強い回転方向弾性を発生するようにコイル型に形成され、中心部が前記軸結合部１１に固定され、外端の係止部１４が前記フレーム２１から突出した係止棒１５にかかって、上部マット２を上昇回転させる方向に弾性を加える渦巻バネ１３と；
を含んでなることを特徴とする、腹部および下体運動機。
【請求項２】
前記下部マット１の一端両側に角度調節板１６が延設され、前記角度調節板１６に複数の角度調節孔１７が弧状に配置され、上部マット２のフレーム２１に固定ピン１８の挿入のための孔２３が形成されることにより、上部マット２を所望角度に回転させて一致する角度調節孔１７と孔２３に固定ピン１８を挿入して上部マット２の角度を調節することができることになることを特徴とする、請求項１に記載の腹部および下体運動機。
【請求項３】
前記下部マット１の内部に内蔵され、一側端部に足場３が備えられたピストン４が出沒可能に形成され、前記ピストン４が引っ込める方向にガス圧が加えられる複数のショックアブソーバ５と；
前記足場３の直線移動ができるように、下部マット１の表面に長手方向に切開される遊動溝６と；をさらに含むことを特徴とする、請求項１に記載の腹部および下体運動機。
【請求項４】
ボディーフレーム３１の上部にシート３２が定着され、前記シート３２の後端に、多数の指圧手段４２が表面に形成された背もたれ３３が垂直に立設され、前記背もたれ３３の下端両側に突設された連結部３４が前記ボディーフレーム３１の後端に設けられた回転軸３５に結合され、前記回転軸３５の両端には、渦巻バネからなり、前記背もたれ３３が立つ方向に弾性を加える弾性部材３６が設けられ、前記ボディーフレーム３１の一側には、前記背もたれ３３の回転を選択的に許容する第１固定レバー３７が設けられることにより、使用者が椅子に座った状態で背もたれ３３を反らしながら腹筋運動を行うことができ、側面に第２固定レバー３９が形成されたガイド３８がシート３２の下部に前後方向に取り付けられ、端部に脚かけ棒４１が直交するように形成された脚かけ４０が前記ガイド３８内に出沒可能に挿入され、脚かけ４０が引き出された状態で脚かけ棒４１に足をかけて腹部運動することができるようにしたことを特徴とする、腹部および下体運動機。
【請求項５】
前記指圧手段４２は、玉石、磁石、木材および金属材のなかでいずれか１種の材質でなった多数の指圧部材４３が背もたれ３３の表面に付着され、カバー４４が前記指圧部材４３を取り囲むようになって背もたれ３３に付着されてなることを特徴とする、請求項４に記載の腹部および下体運動機。
【請求項６】
前記指圧手段４２は、背もたれ３３の表面にローラーハウジング５０が設けられ、このローラーハウジング５０に指圧ローラー５１が回転可能に固定されることを特徴とする、請求項４に記載の腹部および下体運動機。
【請求項７】
前記指圧ローラー５１の外周面上に、玉石または磁石でなった複数の突部５２が突設されることを特徴とする、請求項６に記載の腹部および下体運動機。
【発明の詳細な説明】
【技術分野】
【０００１】
本発明は腹部および下体運動装置に係り、特に、使用者がマットに横になるか座った姿勢で足場を押し出しながら下体運動を行うことができ、上体の力で上部マットを連続的に横たえる動作によって腹部運動を兼ねることができることはもちろん、使用者が座った状態で脚かけに足を載せ、背もたれを反らしながら腹部運動を行うことができ、腹部運動の際、背もたれに備えられた指圧突部が使用者の背中の経穴部位を摩擦させながら指圧することにより、血液循環改善等の付加の効果を期待することができる腹部および下体運動装置に関するものである。
【背景技術】
【０００２】
現在、多くの人が健康増進に関心を持っており、大部分の人はひまを見て、フィットネスクラブのように、いろいろの種類の運動器具を備えた施設で運動しながら健康を向上させている。
しかし、対部分の現代人は忙しく日常生活をしているため、別に運動する時間を確保しにくく、フィットネスクラブに移動して運動することがなかなか難しいことである。
また、職場生活をする男性や出産後の女性の場合、腹部肥満と下体肥満が大きい悩みとなるが、前記のように腹部と下体を同時に運動させて肥満を解消させることができる運動器具が提供されていなくて、多くの人が腹部と下体肥満を心配していることが現実である。
【発明の開示】
【発明が解決しようとする課題】
【０００３】
したがって、本発明は前記のような問題点を解決するためになされたもので、その目的は、使用者がマットに横になるか座った姿勢で足場を押し出しながら下体運動を行うことができ、上体の力で上部マットを連続的に横たえる動作によって腹部の運動を兼ねることができることはもちろん、使用者が座った状態で脚かけに足を載せ、背もたれを反らしながら腹部運動を行うことができ、腹部運動の際、背もたれに備えられた指圧突部が使用者の背中の経穴部位を摩擦させながら指圧して血液循環改善等の付加の効果を期待することができる腹部および下体運動装置を提供することにある。
【課題を解決するための手段】
【０００４】
上記課題を解決するために、本発明によれば、一側に軸結合部が突設された下部マットと；逆“Ｕ”字形に形成されたフレームの端部が前記軸結合部に軸を介して回転可能に結合され、その上面に上板が積層結合された上部マットと；前記下部マットの内部に内蔵され、一側端部に足場が備えられたピストンが出沒可能に形成され、前記ピストンが引っ込める方向にガス圧が加えられる複数のショックアブソーバと；前記足場の直線移動ができるように、下部マットの表面に長手方向に切開される遊動溝と；強い回転方向弾性を発生するようにコイル型に形成され、中心部が前記軸結合部に固定され、外端の係止部が前記フレームから突出した係止棒にかかって、上部マットを上昇回転させる方向に弾性を加える渦巻バネと；を含んでなることを特徴とする、腹部および下体運動機が提供される。
前記下部マットの一端両側に角度調節板が延設され、前記角度調節板に複数の角度調節孔が弧状に配置され、上部マットのフレームに固定ピンの挿入のための孔が形成されることにより、上部マットを所望角度に回転させて一致する角度調節孔と孔に固定ピンを挿入して上部マットの角度を調節することができるようになる。
【発明の効果】
【０００５】
以上説明したように、本発明は使用者がマットに横になるか座った姿勢で足場を押し出しながら下体運動を行うことができ、上体の力で上部マットを連続的に横たえる動作によって腹部の運動を兼ねることができることはもちろん、使用者が座った状態で脚かけに足を載せ、背もたれを反らしながら腹部運動を行うことができ、腹部運動の際、背もたれに備えられた指圧突部が使用者の背中の経穴部位を摩擦させて指圧して血液循環改善等の付加の効果を期待することができる。
【発明を実施するための最良の形態】
【０００６】
以下に添付図面を参照しながら、本発明の好適な実施の形態について詳細に説明する。
まず、図１〜図３を参照して本発明の好適な実施形態を説明する。
図面符号１は下部マットを示し、この下部マット１の一側には複数の軸結合部１１が一側方向に突設される。
前記下部マット１の上側には、使用者の背もたれの役目をする上部マット２が回転可能に結合される。この上部マット２は図１に示すように逆“Ｕ”字形に形成されたフレーム２１の両端部を前記軸結合部１１に軸１２で結合し、前記フレーム２１の表面に上板２２を積層結合して構成する。
そして、前記上板２２には、多数の指圧ローラー２５を回転可能に形成して使用者の背中の経穴部位を指圧するようにする。
下部マット１の内部には複数のショックアブソーバ５を取り付けられ、このショックアブソーバ５には、下部マット１の上部に露出する足場３が備えられたピストン４が出沒可能に形成されており、前記ショックアブソーバ５には、ピストン４を引っ込める方向にガス圧が加えられており、下部マット２の表面には前記足場３の直線移動を許容する遊動溝６が長手方向に切開されている。
したがって、使用者が下部マット１に座った状態で、両足で前記足場３を下向きに押し出す時、ショックアブソーバ５に加えられるガス圧が抵抗として作用するので、使用者は下体運動を行うことができることになり、足場３に加えた力を解除すると、ガス圧によって足場３が元の位置に復帰することになり、使用者は前記のような動作を繰り返し行いながら下体運動を連続的に具現することができることになる。
一方、前記下部マット１と上部マット２との間には、上部マット２が上昇する方向に弾性を加える渦巻バネ１３が設けられる。
すなわち、図３に示すように、前記下部マット１の軸結合部１１の一側に、強い回転弾性を発生するようにコイル型に形成された渦巻バネ１３が設けられるが、この渦巻バネ１３の中心部は軸１２に固定され、外端の係止部１４はフレーム２１の側面から突設された係止棒１５に掛かるようにすることにより、渦巻バネ１３の回転弾性によって上部マット２が上昇するようにする。
本発明においては、前記渦巻バネ１３によって上部マット２が上昇しようとすることを使用者が上体の力で強制に横たえることにより、使用者の上体、特に腹部を鍛錬することができることになるものである。
そして、本発明によれば、上部マット２の設置角度を所望位置に固定させることができる。
このために、図２に示すように、下部マット１の一端部の両側には一定長さの角度調節板１６が延設され、前記角度調節板１６上に複数の角度調節孔１７が弧状に配置され、上下に回転するフレーム２１には、任意の角度調節孔１７と選択的に一致する孔２３が形成されている。
したがって、使用者は前記フレーム２１を所望角度に立て、当該位置の角度調節孔１７とフレーム２１の孔２３を一致させた後、それぞれの孔１７、２３に固定ピン１８を挿入することで、上部マット２の設置角度を所望角度で固定させることができることになるものである。
このような機能により、使用者は上部マット２を立て、まるで上部マット２と下部マット１が椅子の形状となるようにして、座った姿勢で下体運動を行うことができることになり、または上部マット２と下部マット１をベッドのように水平に展開された状態にセットして、楽に横になった姿勢で下体運動を行うことができることになる。
前記のような本発明の運動装置は、足場３を用いた下体運動と上部マット２を用いた上体運動を独立的に実施することができるだけはなく、下体運動と上体運動を同時に実施することもできる。
また、運動装置の構造が非常に簡単で製品の生産単価が非常に低く、生産性も向上して、多くの使用者が安価で運動器具を購入して運動することができることになる。
そして、保管上の容易さのために、前記上部マット２が下部マット１に全く密着するように折り畳まれるようにことが望ましい。
一方、図４に示すように、下部マット１の下側に支持脚２４を形成し、下部マット１の両側に取っ手を取り付けることにより、本発明の腹部および下体運動器具を椅子の代わりに使うことができることになる。
一方、添付図面の図５〜図１2は椅子形状に形成された本発明のほかの実施形態を示すもので、これら図を参照して本発明のほかの実施形態を説明すれば次のようである。
図面符号３１は本発明の外形を成すことになるボディーフレームを示し、前記ボディーフレーム３１の上面にはシート３２が定着され、シート３２の後端には背もたれ３３が垂直に立設される。
この際、前記ボディーフレーム３１の底面後端に回転軸３５が横切って形成され、この回転軸３５に、背もたれ３３の両端下側に突設された連結部３４が結合されることにより、回転軸３５の回転時、前記背もたれ３３が連動するようにし、前記回転軸３５両側には、渦巻バネで構成され、前記背もたれ３３を立てる方向に弾性を加える弾性部材３６が設けられる。
そして、ボディーフレーム３１の一側には、前記背もたれ３３の回転を選択的に許容する第１固定レバー３７が、使用者により操作できるように、取り付けられるので、前記第１固定レバー３７を使用者が締めると背もたれ３３が現在の状態で固定され、第１固定レバー３７を緩めると背もたれ３３が回転可能になる。
したがって、使用者は前記第１固定レバー３７を緩め、椅子のシート３２に座った状態で背もたれ３３を反らしながら腹部運動を行うことができることになるものである。
すなわち、前記背もたれ３３は弾性部材３６によって加えられる弾性によって立つようとするため、使用者が背もたれ３３を反らすためには、弾性部材３６の弾性より強い力を腹部に与えなければならないので、使用者が背もたれ３３を反らす時、腹部運動が行われる。
一方、前記シート３２の下部には、その一側面に第２固定レバー３９が設けられたガイド３８が前後方向に取り付けられ、端部に脚かけ棒４１が直交するように取り付けられた棒状の脚かけ４０が伸縮可能に挿入される。
したがって、前記脚かけ４０を、図9に示すように、ガイド３８から引き出した状態で脚かけ棒４１に足を乗せ、背もたれ３３を背中で押し出すことで腹部運動を行うことができることになり、前記脚かけ棒４１に足を乗せた状態で背もたれ３３を反らすと、より強く背もたれ３３を反らすことができるだけでなく、脚でも力を働かせることになって腹部運動だけでなく下体運動も兼ねることができることになる。
図面符号４２は背もたれ３３の表面に形成される多数の指圧手段を示す。
前記指圧手段４２は、図７および8に示すように、遠赤外線を発散する玉石、磁場を発散する磁石、木材および金属材のなかでいずれか１種の材質でなった指圧部材４３を背もたれ３３の表面に付着し、この指圧部材４３を取り囲むようにカバー４４で外側から被せ、カバー４４の端部を接着剤で背もたれ３３に付着するかまたは返し縫いで結合する。
前述したように、背もたれ３３に多数の指圧手段４２を突設すると、使用者が背中で背もたれ３３を反らす時、指圧手段４２が使用者の背中と摩擦しながら経穴部位を指圧することになり、前記指圧部材４３の材質（玉石、磁石）によって、指圧部材４３から発生する遠赤外線または磁場が身体の内分泌腺活性化させることにより、血液循環が改善される付加の効果を期待することができることになるものである。
一方、図10、11および図１2は本発明に適用された指圧手段４２のほかの実施形態を示すもので、背もたれ３３の表面にローラーハウジング５０を埋め込み、前記ローラーハウジング５０に指圧ローラー５１を回転可能に結合し、前記指圧ローラー５１の外周面上には、玉石または磁石の材質でなった多数の突起５２を形成したものである。
前記指圧ローラー５１は、図面に示すように、その一部が背もたれ３３の表面から突出するようにして、使用者が背もたれ３３を反らす時、指圧ローラー５１が使用者の背中と接触することにより指圧ローラー５１が回転し、この回転によって、指圧ローラー５１に突設された突起５２が背中の経穴部位を指圧することになる。
また、前記突起５２の材質が玉石または磁石であるため、突起５２から遠赤外線または磁場が発生して身体の血液循環を改善させることになる効果を期待することができることになるものである。
以上、添付図面を参照しながら本発明の好適な実施形態について説明したが、本発明は係る例に限定されない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【０００７】
本発明は、下体運動および腹部運動を兼ねることができ、腹部運動の際、使用者の背中の経穴部位を摩擦させながら指圧して血液循環改善等の効果を期待することができる腹部および下体運動装置燃料に適用可能である。
【図面の簡単な説明】
【０００８】
【図１】本発明の腹部および下体運動装置を示す平面図である。
【図２】本発明の腹部および下体運動装置を示す側面図である。
【図３】本発明に適用された渦巻バネの設置状態を示す拡大図である。
【図４】本発明の変形実施形態を示す側面図である。
【図５】本発明の運動椅子を示す斜視図である。
【図６】本発明の運動椅子を示す正面図である。
【図７】本発明の運動椅子を示す側面図である。
【図８】図７の部分拡大図である。
【図９】本発明の作動状態を示す側面図である。
【図１０】本発明に適用された指圧手段をほかの実施形態を示す側面図である。
【図１１】図10の部分拡大断面図である。
【図１２】図11のＡ−Ａ線についての断面図である。
【符号の説明】
【０００９】
１    下部マット
２    上部マット
３    足場
４    ピストン
５    ショックアブソーバ
６    遊動溝、
１１    軸結合部
１２    軸
１３    渦巻バネ
１４    係止部
１５    係止棒
１６    角度調節板
１７    角度調節孔
１８    固定ピン
２１    フレーム
２２    上板
２３    孔
２５    指圧ローラー
３１    ボディーフレーム
３２    シート
３３    背もたれ
３４    連結部
３５    回転軸
３６    弾性部材
３７    第１固定レバー
３８    ガイド
３９    第２固定レバー
４０    脚かけ
４１    脚かけ棒
４２    指圧手段
４３    指圧部材
４４    カバー
５０    ローラーハウジング
５１    指圧ローラー
５２    突起
【図１】
2006528902.tif 000003
【図２】
2006528902.tif 000004
【図３】
2006528902.tif 000005
【図４】
2006528902.tif 000006
【図５】
2006528902.tif 000007
【図６】
2006528902.tif 000008
【図７】
2006528902.tif 000009
【図８】
2006528902.tif 000010
【図９】
2006528902.tif 000011
【図１０】
2006528902.tif 000012
【図１１】
2006528902.tif 000013
【図１２】
2006528902.tif 000014
【国際調査報告】
2006528902.tif 000015
2006528902.tif 000016